(57)【要約】【課題】サイドライトタイプの点光源を有するバックライト装置及びその導光板において、点光源と液晶表示面との距離を小さくした場合においても、液晶表示面の全面を照らすことができる導光板及びその導光板を用いたバックライト装置を提供する。【解決手段】導光板１００に入射した光の一部は、反射面１３１で反射し、入光面１１０に戻され、切欠部１１５を形成する面やその他の入光面１１０で更に反射し、湾曲したシリンドリカルレンズ１２３に入る方向に進む。湾曲したシリンドリカルレンズ１２３に入った光は、入光面に垂直方向になるように曲げられながら進行する。【選択図】図２
2010205613.tif 000002
【特許請求の範囲】
【請求項１】
点光源を光源とする液晶表示装置に用いられる導光板であって、
表示に用いられる光を出射させる出光領域を有する出光面と、
前記出光面に対しての一側面であり、前記点光源が配置される光源配置領域を有する入光面と、
前記入光面から入光した光の一部を、前記出光領域の内側に入る前に、前記入光面側に反射させる反射面と、を備える導光板。
【請求項２】
前記反射面は、出光面に向けて開口した非貫通孔により形成されている、ことを特徴とする請求項１に記載の導光板。
【請求項３】
前記非貫通孔において、出光面に平行な面の断面形状は矩形である、ことを特徴とする請求項２に記載の導光板。
【請求項４】
前記非貫通孔において、出光面に平行な面の断面形状の一部は円弧により形成されている、ことを特徴とする請求項２に記載の導光板。
【請求項５】
前記非貫通孔は、出光面に向けて広がるテーパがつけられている、ことを特徴とする請求項２に記載の導光板。
【請求項６】
前記反射面は、出光面において、入光面と平行に伸びる溝により形成されている、ことを特徴とする請求項１に記載の導光板。
【請求項７】
前記入光面は、前記光源配置領域とは異なる部分に、前記出光面と垂直な面により形成された、反射用の切欠を有する、ことを特徴とする請求項１に記載の導光板。
【請求項８】
前記反射用の切欠は、複数連続して形成されている、ことを特徴とする請求項７に記載の導光板。
【請求項９】
前記反射面は、前記切欠と前記光源配置領域との間から、入光面に垂直方向に延びる領域に形成されている、ことを特徴とする請求項７に記載の導光板。
【請求項１０】
前記入光面には、前記光源配置領域とは異なる部分に、前記出光面に垂直方向に伸びる、シリンドリカルレンズが複数連続して形成されている、ことを特徴とする請求項１に記載の導光板。
【請求項１１】
前記出光面は、前記反射面の位置と前記出光領域との間の位置から、前記出光領域を覆うように、前記入光面に対して垂直方向に延びる、複数のシリンドリカルレンズにより形成され、
前記複数のシリンドリカルレンズのうち、いずれかのシリンドリカルレンズは、前記入光面の前記点光源が配置される光源配置面に向かう方向に湾曲している、ことを特徴とする請求項１に記載の導光板。
【請求項１２】
前記出光面は、前記反射面の位置と前記出光領域との間の位置から、前記出光領域を覆うように、前記入光面に対して垂直方向に延びる、複数のシリンドリカルレンズにより形成され、
前記複数のシリンドリカルレンズのうち、いずれかのシリンドリカルレンズの円弧の中心角は、前記入光面の近傍において、他のシリンドリカルレンズの円弧の中心角より大きくなっている、ことを特徴とする請求項１に記載の導光板。
【請求項１３】
請求項１〜１２のいずれか一項に記載の導光板を備えるバックライト装置。
【請求項１４】
前記導光板の周囲で、前記点光源が配置される光源配置領域を有する入光面以外を覆うと共に、前記光源配置領域以外の前記入光面を覆うための凸部を有するモールドを更に備えることを特徴とする請求項１３に記載のバックライト装置。
【請求項１５】
請求項１〜１２のいずれか一項に記載の導光板を備える液晶表示装置。
【請求項１６】
前記導光板の周囲で、前記点光源が配置される光源配置領域を有する入光面以外を覆うと共に、前記光源配置領域以外の前記入光面を覆うための凸部を有するモールドを更に備えることを特徴とする請求項１５に記載の液晶表示装置。
【発明の詳細な説明】
【技術分野】
【０００１】
本発明は、導光板、バックライト装置及び液晶表示装置に係り、より詳しくは、点光源を光源とする液晶表示装置に用いられる導光板、及びその導光板を用いたバックライト装置及び液晶表示装置に関する。
【背景技術】
【０００２】
コンピュータ等の情報通信端末やテレビ受像機の表示デバイスとして、液晶表示装置が広く用いられている。液晶表示装置は、液晶分子の配向を変えることにより、光の透過度合いを変化させて、表示させる画像を制御する装置であり、液晶自体は発光しないことから、液晶表示面をその裏面側から照らすために、太陽光や室内の光を反射させて利用する反射型のものや、バックライトと呼ばれる照明装置を使用するものがある。バックライト式の照明の方式としては、主に、液晶表示面の裏側に光源を有する直下ライト式と、側方から照らした光を反射させて液晶表示面を照らすサイドライト式とが知られている。また、このバックライトの光源としては、一般に冷陰極蛍光管が用いられているが、近年の携帯電話等の移動通信端末装置やカーナビゲーション装置に用いられる液晶表示装置では、小型化・省電力化が求められることから、ＬＥＤ（発光ダイオード）を光源として用いるようになってきている（特許文献１参照）。
【０００３】
図１６は、従来のサイドライト式のバックライト装置の代表的な例における、横方向の断面を概略的に示した図である。この図に示されるように、このバックライト装置６００は、ＬＥＤを用いた光源６０１と、透光性の樹脂等により板状に形成されている導光板６０２と、導光板６０２の下面から出射した光を反射させて、導光板６０２内にもどす反射シート６０３と、導光板６０２の上面から出射した光を拡散させる拡散シート６０４と、拡散シートにより拡散された光の向きを液晶表示面に垂直方向に屈折させる、２つのプリズムシート６０５及び６０６と、により構成されている。また、導光板の下面には、一般的に、光を反射させるための溝、突起または印刷物等の反射・散乱部材が設けられるが、この図では、Ｖ字型の溝６０７が形成されている。
【０００４】
光源６０１から出た光は、例えば、図の矢印に示されるように、導光板６０２に入光し、導光板６０２の下面及び上面での全反射を繰り返し、Ｖ字型の溝６０７で反射することにより、導光板６０２の上面から出射される。導光板６０２から出射された光は、拡散シート６０４により拡散され、プリズムシート６０５及び６０６により光の向きを整えられた後、更に上方の液晶表示面へ向かう。
【先行技術文献】
【特許文献】
【０００５】
【特許文献１】特開２００２−１８４２２５号公報
【発明の概要】
【発明が解決しようとする課題】
【０００６】
上述のようなバックライト装置は、液晶表示面の全面を照らすものとして普及している。ここで、図１７の光源から導光板６０２内に光の広がる様子を模式的に表した上面部分図に示されるように、ＬＥＤのような点光源を用いた場合には、光は光源から離れるにつれて徐々に広がるため、図中の距離Ｌよりも光源に近い領域では、光源と光源の間に斜線に示されるような暗い部分が現れ、明るさが一様とならない。したがって、液晶表示画面の照明として用いる場合には、点光源から、導光板から光を出射させる出光領域６１０までの距離をこの距離Ｌよりも大きくする必要があり、バックライト装置の小型化を困難なものにしていた。
【０００７】
本発明は上述の事情を鑑みてされたものであり、サイドライトタイプの点光源を有するバックライト装置及びその導光板において、点光源と出光領域との距離を小さくすることを目的とする。
【課題を解決するための手段】
【０００８】
本発明の導光板は、点光源を光源とする液晶表示装置に用いられる導光板であって、表示に用いられる光を出射させる出光領域を有する出光面と、前記出光面に対しての一側面であり、前記点光源が配置される光源配置領域を有する入光面と、前記入光面から入光した光の一部を、前記出光領域の内側に入る前に、前記入光面側に反射させる反射面と、を備える導光板である。
【０００９】
ここで、点光源とは、ＬＥＤ光源等を意味する。また、出光領域とは、液晶表示画面に向かう光を出射する領域を意味する。また、出光面は、導光板の液晶表示面に面する面を意味するものであり、特に平面に限られない。入光面は、出光面の一側面であるとは、サイドライトタイプであることを意味する。
【００１０】
また、本発明の導光板は、前記反射面は、出光面に向けて開口した非貫通孔により形成されている、とすることができる。
【００１１】
また、本発明の導光板は、前記非貫通孔において、出光面に平行な面の断面形状は矩形である、とすることができる。
【００１２】
また、本発明の導光板は、前記非貫通孔において、出光面に平行な面の断面形状の一部は円弧により形成されている、とすることができる。
【００１３】
また、本発明の導光板は、前記非貫通孔は、出光面に向けて広がるテーパがつけられている、とすることができる。
【００１４】
また、本発明の導光板は、前記反射面は、出光面において、入光面と平行に伸びる溝により形成されている、とすることができる。
【００１５】
また、本発明の導光板は、前記入光面は、前記光源配置領域とは異なる部分に、前記出光面と垂直な面により形成された、反射用の切欠を有する、とすることができる。更に、この導光板は、前記反射用の切欠は、複数連続して形成されている、とすることができる。また、更に、前記反射面は、前記切欠と前記光源配置領域との間から、入光面に垂直方向に延びる領域に形成されている、とすることができる。
【００１６】
また、本発明の導光板は、前記入光面には、前記光源配置領域とは異なる部分に、前記出光面に垂直方向に伸びる、シリンドリカルレンズが複数連続して形成されている、とすることができる。
【００１７】
また、本発明の導光板は、前記出光面は、前記反射面の位置と前記出光領域との間の位置から、前記出光領域を覆うように、前記入光面に対して垂直方向に延びる、複数のシリンドリカルレンズにより形成され、前記複数のシリンドリカルレンズのうち、いずれかのシリンドリカルレンズは、前記入光面の前記点光源が配置される光源配置面に向かう方向に湾曲している、とすることができる。
【００１８】
また、本発明の導光板は、前記出光面は、前記反射面の位置と前記出光領域との間の位置から、前記出光領域を覆うように、前記入光面に対して垂直方向に延びる、複数のシリンドリカルレンズにより形成され、前記複数のシリンドリカルレンズのうち、いずれかのシリンドリカルレンズの円弧の中心角は、前記入光面の近傍において、他のシリンドリカルレンズの円弧の中心角より大きくなっている、とすることができる。
【００１９】
また、本発明のバックライト装置は、上述した本発明の導光板のいずれかの導光板を備えるバックライト装置である。ここで、このバックライト装置は、前記導光板の周囲で、前記点光源が配置される光源配置領域を有する入光面以外を覆うと共に、前記光源配置領域以外の前記入光面を覆うための凸部を有するモールドを更に備える、とすることができる。
【００２０】
また、本発明の液晶表示装置は、上述した本発明の導光板のいずれかの導光板を備える液晶表示装置である。ここで、この液晶表示装置は、前記導光板の周囲で、前記点光源が配置される光源配置領域を有する入光面以外を覆うと共に、前記光源配置領域以外の前記入光面を覆うための凸部を有するモールドを更に備える、とすることができる。
【図面の簡単な説明】
【００２１】
【図１】本発明の第一の実施形態に係る導光板の全体斜視図である。
【図２】図１の導光板の部分上面図である。
【図３】図２の線ＡＡでの断面のうち、一部の断面を示す部分断面図である。
【図４】図２の線ＢＢでの断面のうち、一部の断面を示す部分断面図である。
【図５】モールドの斜視図である。
【図６Ａ】本発明の第一の実施形態に係る液晶表示装置の構成を概略的に示す図である。
【図６Ｂ】本発明の第一の実施形態に係る液晶表示装置の横方向断面を示す図である。
【図７】第一の実施形態の第一変形例に係る導光板の部分上面図である。
【図８】第一の実施形態の第二変形例に係る導光板の部分断面図である。
【図９】本発明の第二の実施形態に係る導光板の部分上面図である。
【図１０】第二の実施形態の第一変形例に係る導光板の部分上面図である。
【図１１】第二の実施形態の第二変形例に係る導光板の部分上面図である。
【図１２】図１１の線ＣＣでの断面のうち、一部の断面を示す部分断面図である。
【図１３】本発明の第三の実施形態に係る導光板の部分上面図である。
【図１４】本発明の第四の実施形態に係る導光板の部分上面図である。
【図１５】図１４の線ＤＤでの断面のうち、一部の断面を示す部分断面図である。
【図１６】従来のサイドライト式のバックライト装置の横方向断面を概略的に示す図である。
【図１７】光源から導光板内に光の広がる様子を模式的に表した上面部分図である。
【発明を実施するための形態】
【００２２】
以下、本発明の第一乃至第四の実施形態について、図面を参照しつつ説明する。なお、図面において、同一又は同等の要素には同一の符号を付し、重複する説明を省略する。
【００２３】
本発明の第一の実施形態に係る導光板及びその導光板を用いたバックライト装置及び液晶表示装置について、図１〜図６Ｂを参照しつつ説明する。図１には、本発明の第一の実施形態に係る導光板１００の全体斜視図が示されている。この導光板１００は、板状で、厚さは０．２〜１．０ｍｍであり、アクリルやポリカーボネート等の光透過性部材により一体的に形成されている。この図に示されるように、ＬＥＤ光源からの光が入光する面である入光面１１０は、３つのＬＥＤ光源を設置するための３カ所のＬＥＤ光源設置領域１１１と、後述の矩形孔１３０の反射面１３１で反射した光を、更に反射するための２カ所の切欠部１１５と、を有している。
【００２４】
光が出射される出光面１２０である上面は、入光面１１０から入射された光を導光板１００内で更に奥に導くと共に、出光の際に光を屈折させるシリンドリカルレンズ部１２１と、入射した光の一部を反射して、切欠部１１５等の入射面側に戻す反射面１３１を有する矩形孔１３０と、高さをＬＥＤ光源の高さに合わせ、ＬＥＤ光源から入射した光を導光板１００内で、シリンドリカルレンズ部１２１へ導く傾斜面１２２と、を有している。また、図示していないが、下面には、下面で反射した光を上面から出射できる角度で反射させるための、印刷により設けられた反射ドットを備えている。
【００２５】
図２には、図１に示された導光板１００の部分上面図が示されている。この図では、ＬＥＤ光源設置領域１１１に設置されたＬＥＤ光源６０が二点鎖線で示されている。図に示されるように、切欠部１１５の向かい側付近のシリンドリカルレンズ１２３は、入光面１１０の近傍において、左右のＬＥＤ光源６０に向かう方向に湾曲している。これは、矩形孔１３０の反射面１３１で反射した光が、入光面１１０で反射して戻された際にシリンドリカルレンズ１２３に入りやすくすると共に、光を入光面１１０に対し垂直方向に進ませる役割を果たしている。
【００２６】
ここで、ＬＥＤ光源６０から出射された光の進行方向について説明すると、図の矢印にあるように、導光板１００に入射した光の一部は、反射面１３１で反射し、入光面１１０に戻され、切欠部１１５を形成する面やその他の入光面１１０で更に反射し、湾曲したシリンドリカルレンズ１２３に入る方向に進む。湾曲したシリンドリカルレンズ１２３に入った光は、入光面に垂直方向になるように曲げられながら進行する。したがって、２つのＬＥＤ光源６０の間における、入光面１１０近傍に、光を導くことができ、これにより、ＬＥＤ光源６０と出光領域１４０との距離を小さくすることができる。
【００２７】
図３は、図２の線ＡＡでの断面のうち、一部の断面を示す部分断面図である。図に示されるように、矩形孔１３０は非貫通孔であり、深さは板厚をＤとすると、その８割である０．８Ｄとしている。これは、残りの０．２Ｄの厚さ部分では、光を通過させることにより、矩形孔１３０の裏側部分が暗くなるのを防ぐためである。
【００２８】
図４は、図２の線ＢＢでの断面のうち、一部の断面を示す部分断面図である。図に示されるように、シリンドリカルレンズ部１２１の断面は、上面が上に凸の円弧形状であるシリンドリカルレンズが、複数ならべられた形状となっている。
【００２９】
図５には、導光板１００をバックライト装置に組み込む際に、側面を囲うように覆うモールド１５０の形状が示されている。このモールドの材料には、白いポリカーボネート等の樹脂が用いられる。導光板１００の側面から出射した光は、このモールドにより反射され、導光板１００に戻される。このモールド１５０は、導光板１００の入光面１１０に接触する部分において、ＬＥＤ光源６０が配置されない部分に凸部１５１を備え、矩形孔１３０の反射面１３１で反射された光で、入光面１１０から出射する光を更に導光板１００に戻す役割を果たしている。
【００３０】
図６Ａは、本発明の第一の実施形態に係る液晶表示装置９００の構成を概略的に示す図である。この図に示されるように、液晶表示装置９００は、液晶パネル８００と、バックライト装置１８０と、制御回路８４２とにより構成されている。ここで、制御回路８４２は、フレキシブル基板８４０に実装されており、制御線８５４を介して液晶パネル８００の表示を制御すると共に、制御線８５５を介してＬＥＤ光源６０を制御する。
【００３１】
一方、液晶パネル８００は、ＴＦＴ基板８３０とカラーフィルタ基板８２０の２枚の基板を有し、これらの基板の間には液晶組成物が封止されている。ＴＦＴ基板８３０には、駆動回路８３２により制御されるゲート信号線８３７及び駆動回路８３３により制御されるドレイン信号線８３５が張り巡らされ、これらの信号線は、液晶表示装置の一画素として機能するセル８１０を形成している。
【００３２】
ここで、図６Ａの二点鎖線で囲まれた領域は表示領域８１５を示している。なお、液晶パネル８００は、その表示の解像度に対応する数のセル８１０を有するが、図６Ａでは簡略化して示している。また、この液晶パネル８００は、ＴＦＴ基板８３０にのみに電極が設けられたＩＰＳ（In Plane Switching）方式、並びに、ＴＦＴ基板８３０及びカラーフィルタ基板８２０の両方に電極が設けられたＴＮ（Twisted Nematic）方式及びＶＡ（Vertical Alignment）方式のうちのいずれの方式であってもよい。
【００３３】
また、バックライト装置１８０は、図１の導光板１００と、図５のモールド１５０と、ＬＥＤ光源６０と、ＬＥＤ光源６０が取り付けられたフレキシブル基板８４５とを有している。バックライト装置１８０をこのような構成とすることにより、ＬＥＤ光源６０と出光領域１４０との距離を小さくすることができる。
【００３４】
図６Ｂは、本発明の第一の実施形態に係る液晶表示装置９００の横方向断面を示す図である。この図に示されるように、液晶表示装置９００は、図６Ａで示した構成の他に、導光板１００から出射された光を一様に拡散する拡散シート９０４と、拡散された光の向きを整えるプリズムシート９０５及び９０６と、一方向の成分のみの光を通過させる偏光板９０８及び９０９と、を備えている。液晶表示装置９００をこのような構成とすることにより、ＬＥＤ光源６０と出光領域１４０との距離を小さくすることができる。
【００３５】
図７は、上述の第一の実施形態の第一変形例に係る導光板２００の部分上面図である。この図に示されるように、導光板２００のシリンドリカルレンズ部１２５は、切欠部１１５の向かい側付近だけでなく、矩形孔１３０の裏側付近も湾曲したシリンドリカルレンズ１２７を有している。このような構成においても、ＬＥＤ光源６０と出光領域１４０との距離を小さくすることができる。
【００３６】
図８は、上述の第一の実施形態の第二変形例に係る導光板２５０の部分断面図である。この部分断面図は、図３と同じ視野によるものである。この図に示されるように、導光板２５０は、導光板１００の矩形孔１３０に替えて、傾斜面１２２に設けられた反射面１３６を備える矩形孔１３５を備えている。このような構成においても、ＬＥＤ光源６０と出光領域１４０との距離を小さくすることができる。
【００３７】
図９は、本発明の第二の実施形態に係る導光板３１０の部分上面図が示されている。この図に示されるように、導光板３１０は、導光板１００の切欠部１１５に替えて、複数の細かい切り欠きを有する刻み面３１２を備えると共に、導光板１００の傾斜面１２２に替えて、ＬＥＤ光源設置領域１１１の表示領域側にのみ設けられた傾斜面３１５を備えている。また、湾曲したシリンドリカルレンズ１２３を有さないシリンドリカルレンズ部３１７を備えている。その他の構成は、導光板１００と同様の構成となっている。
【００３８】
このような構成においても、図の矢印に示されるように、矩形孔１３０の反射面１３１で反射した光を、刻み面３１２で反射させて、導光板内に戻すため、２つのＬＥＤ光源６０の間における、入光面１１０近傍に、光を導くことができる。したがって、ＬＥＤ光源６０と出光領域１４０との距離を小さくすることができる。
【００３９】
図１０は、上述の第二の実施形態の第一変形例に係る導光板３２０の部分上面図である。図に示されるように、導光板３２０は、導光板３１０の矩形孔１３０に替えて、入光面１１０に平行な反射面３２２を有する溝３２１を備えている。このような構成においても、ＬＥＤ光源６０と出光領域１４０との距離を小さくすることができる。
【００４０】
図１１は、上述の第二の実施形態の第二変形例に係る導光板３３０の部分上面図である。図に示されるように、導光板３３０のシリンドリカルレンズ部３３１は、刻み面３１２の向かい側付近に、シリンドリカルレンズの円弧の中心角が、周囲のシリンドリカルレンズの中心角より大きい部分である角度付レンズ部３３２を有している。
【００４１】
図１２は、図１１の線ＣＣでの断面のうち、一部の断面を示す部分断面図である。図に示されるように、角度付レンズ部３３２の出光平面との角度である接触角Ｒ２は、周囲のシリンドリカルレンズの接触角Ｒ１よりも、大きくなっている。すなわち、これは、角度付レンズ部３３２のシリンドリカルレンズの円弧の中心角が、他のシリンドリカルレンズの円弧の中心角より大きいことを意味している。ここで、この変形例では、Ｒ１を４５°とし、Ｒ２を７０°としている。これにより、角度付レンズ部３３２から光が出射する際に、入射面に平行な成分（図面横方向成分）を小さくすることができる。
【００４２】
図１３には、本発明の第三の実施形態に係る導光板４００の部分上面図が示されている。図に示されるように、導光板４００は、導光板３１０の刻み面３１２に替えて、シリンドリカルレンズ反射部４０５を備えている。このような構成においても、ＬＥＤ光源６０と出光領域１４０との距離を小さくすることができる。
【００４３】
図１４には、本発明の第四の実施形態に係る導光板５００の部分上面図が示されている。図に示されるように、導光板５００は、矩形孔１３０に替えて、反射面５０１を有する略半円形の孔である半円形孔５０２を備えている。このようにすることにより、孔の厚さが大きくなるため、導光板製造の際に使用する金型の孔形成部分の強度を上げることができる。また、製造された導光板５００においても、孔の厚さが大きくなるため、孔の側方から当たる光の量が増加するが、略半円形とすることにより、側方から当たる光を最小限にすることができる。
【００４４】
図１５は、図１４の線ＤＤでの断面のうち、一部の断面を示す部分断面図である。この図に示されるように、半円形孔５０２は、出光面に向けて広がるテーパがつけられている。これにより、導光板製造の際に使用する金型の孔形成部分を容易に金型から抜くことができる。この導光板５００のような構成においても、ＬＥＤ光源６０と出光領域１４０との距離を小さくすることができる。
【００４５】
以上、説明したように、上述のいずれの実施形態においても、サイドライトタイプの点光源を有するバックライト装置及びその導光板において、ＬＥＤ光源６０と出光領域１４０との距離を小さくすることができる。
【００４６】
なお、上述の複数の実施形態においては、矩形孔・半円形孔、切欠部・刻み面・シリンドリカルレンズ反射部、及び湾曲したシリンドリカルレンズ・角度付レンズ部等について、いくつかの組み合わせを示したが、これらはどのように組み合わせられてもよい。
【００４７】
また、上述の複数の実施形態においては、ＬＥＤ光源を３つ、切欠部を２カ所、矩形孔の数を４カ所等とし、具体的な数での例を示したが、これらの数は増減したとしても、本発明の技術的思想を変更するものではない。
【００４８】
また、上述の複数の実施形態においては、点光源をＬＥＤとしたが、ＬＥＤではないその他の点光源であっても、本発明を適用することができる。
【００４９】
また、上述の複数の実施形態においては、反射面を有する孔は、深さを板厚の８割としたが、孔や溝の深さはこれ以外の任意の深さでもよく、また、出光面の反対側の下面側に開口する穴や溝であってもよいし、貫通孔であってもよい。
【符号の説明】
【００５０】
６０  ＬＥＤ光源、１００，２００，２５０，３１０，３２０，３３０，４００，５００  導光板、１１０  入光面、１１１  ＬＥＤ光源設置領域、１１５  切欠部、１２０  出光面、１２１，１２５，３１７，３３１  シリンドリカルレンズ部、１２３，１２７  湾曲したシリンドリカルレンズ、１２２，３１５  傾斜面、１３０，１３５  矩形孔、１３１，１３６，３２２，５０１  反射面、１４０  出光領域、１５０  モールド、１５１  凸部、１８０  バックライト装置、３１２  刻み面、３２１  溝、３３２  角度付レンズ部、４０５  シリンドリカルレンズ反射部、５０２  半円形孔、８００  液晶パネル、８１０  セル、８１５  表示領域、８２０  カラーフィルタ基板、８３０  ＴＦＴ基板、８４０，８４５  フレキシブル基板、８３２，８３３  駆動回路、８３５  ドレイン信号線、８３７  ゲート信号線、８４２  制御回路、８５４，８５５  制御線、９００  液晶表示装置、９０４  拡散シート、９０５，９０６  プリズムシート、９０８，９０９  偏光板。
【図１】
2010205613.tif 000003
【図２】
2010205613.tif 000004
【図３】
2010205613.tif 000005
【図４】
2010205613.tif 000006
【図５】
2010205613.tif 000007
【図６Ａ】
2010205613.tif 000008
【図６Ｂ】
2010205613.tif 000009
【図７】
2010205613.tif 000010
【図８】
2010205613.tif 000011
【図９】
2010205613.tif 000012
【図１０】
2010205613.tif 000013
【図１１】
2010205613.tif 000014
【図１２】
2010205613.tif 000015
【図１３】
2010205613.tif 000016
【図１４】
2010205613.tif 000017
【図１５】
2010205613.tif 000018
【図１６】
2010205613.tif 000019
【図１７】
2010205613.tif 000020